【事件の表示】
　特願２０１５−　９５８９０「分光センサ、及びそれを採用した分光器」拒絶査定不服審判事件〔平成２７年１２月　３日出願公開、特開２０１５−２１５３５１〕について、次のとおり審決する。
【結　論】
　本件審判の請求は、成り立たない。
【理　由】
第１　手続の経緯
　本願は、平成２７年５月８日（パリ条約による優先権主張　２０１４年５月９日　韓国、２０１４年８月５日　韓国）の出願であって、平成３０年１１月３０日付けで拒絶理由が通知され、平成３１年３月４日付けで意見書及び手続補正書が提出され、同年（令和元年）５月２４日付けで拒絶査定されたところ、同年９月１２日に拒絶査定不服審判の請求がなされたものである。
第２　本願発明
　本願の請求項１〜１９に係る発明は、平成３１年３月４日付けの手続補正によって補正された特許請求の範囲の請求項１〜１９に記載された事項により特定されるものであり、そのうち請求項１に係る発明（以下「本願発明」という。）は、以下のとおりのものである。
 「共振波長帯域が互いに異なる複数のナノアンテナを具備するナノアンテナ・アレイ部と、
　前記複数のナノアンテナからの光をそれぞれ検出する複数の光検出器を具備する光検出器アレイ部と、を含み、
　前記複数のナノアンテナのそれぞれは、
　第１誘電体層と、前記第１誘電体層より大きい屈折率を有する第２誘電体層とが第１方向に沿って交互積層された積層構造と、前記積層構造を貫通して形成された複数のナノホールと、を含む上部ナノ構造層と、
　第３誘電体層と、前記第３誘電体層より大きい屈折率を有する第４誘電体層と、が第１方向に沿って交互積層された積層構造と、前記積層構造を貫通して形成された複数のナノホールと、を含む下部ナノ構造層と、
　前記上部ナノ構造層と下部ナノ構造層との間に配置され、誘電物質からなる中間層と、
を含み、
　前記中間層は、前記第１誘電体層、前記第２誘電体層、前記第３誘電体層、および前記第４誘電体層の各層と材質が異なるか、または厚さが異なる、分光センサ。」
第３　原査定の拒絶の理由
　原査定の拒絶の理由は、概略、次のとおりのものである。
　本願発明は、本願の最先の優先権主張の日（以下「優先日」という。）前に日本国内又は外国において、頒布された又は電気通信回線を通じて公衆に利用可能となった以下の引用文献１に記載された発明及び周知技術に基づいて、その優先日前にその発明の属する技術の分野における通常の知識を有する者が容易に発明をすることができたものであるから、特許法第２９条第２項の規定により特許を受けることができない、というものである。
引用文献１．特開２００８−１９１０９７号公報
引用文献２．特開２００６−７８９８５号公報（周知技術を示す文献）
引用文献３．特開２０１１−２２４３２号公報（周知技術を示す文献）
引用文献４．国際公開第２００７／０２９７１４号（周知技術を示す文献）
第４　引用文献の記載及び引用発明
１　引用文献１について
（１）引用文献１の記載
　引用文献１には、以下の事項が記載されている（下線は、当審で付した。以下同じ。）。
（引１ア）
「【課題を解決するための手段】
【００１４】
　請求項１に係る発明は、
透過スペクトルが順次異なる複数の微小フィルターを列状に配置してなり
複合型の分光フィルターと、個々の前記微小フィルターに光学的に対応した画素を有し、微小フィルターを透過した光を受光する光電変換素子と、を有する
分光計測器
　本発明は、分光計測装置における分光器の中心的部品として、透過スペクトルがわずかずつ異なる多数の微小波長フィルターを共通の基板面上に並列配置した構造のフィルタを用い、また光度計として光電変換素子（例えば、イメージセンサー）を用い、両者を組み合わせた機器構成とすることで上記の問題の解決を図るものである。
【００１５】
　・・・ 
　請求項３に係る発明は、
前記微小フィルターは、被計測光の波長の２倍程度の距離以内では屈折率が周期的
に変化している
膜構造が単なる平坦な多層膜から、基板面内にも屈折率の変調のあるフォトニック結晶になることで、基板面内での光のブラッグ反射を反映した光の伝搬モードとストップバンドが新たに発生する。この新たに生じたストップバンドを利用することで、光の透過スペクトルを、単なる平坦な誘電体多層膜構造の透過スペクトルから効率的にシフトさせることができる。
　請求項４に係る発明は、前記分光フィルターは、周期的な凹凸を持つ基板の上に２種類以上の物質を周期的に順次積層し、その積層全体の中の少なくとも一部分にスパッタエッチングを単独で、または成膜と同時に用いることにより周期的な構造を形成してなる多層膜構造をその一部に含む構造体からなることを特徴とする請求項１ないし３のいずれか１項記載の分光計測器である。
　請求項５に係る発明は、途中に厚みの異なる層を挿入してファブリ・ペロー干渉計構成とし帯域通過型の微小フィルターとしたことを特徴とする請求項４記載の分光計測器である。
　請求項６に係る発明は、
前記分光フィルターは、２種類
の誘電体からなる多層膜に
孔の列を形成することで屈折率の変調を実現してある
　・・・
　請求項１３に係る発明は、
前記光電変換素子は、ＣＣＤ、ＣＭＯＳ又は化合物半導体型のイメージセンサーである
　請求項１４に係る発明は、
前記微小フィルターの領域と前記画素とは同じ大きさである
　・・・
【００１７】
　また
イメージセンサーは
１次元もしくは２次元アレイ
【００１８】
　複合型分光フィルターを構成する個々の微小波長フィルターの透過スペクトルはその構成材料の屈折率と周期構造の形状で規定されるが、周期形状は電子線リソグラフィ技術等の汎用の半導体微細加工プロセスによって形成することができる。微小波長フィルターを基板面内でどのように配置するかは電子線描画やステッパによる描画時のレイアウト次第で高い自由度を持って決めることができる。この複合型分光フィルターの微小フィルター要素とイメージセンサーの画素が空間的に対応するように両者を組み合わせる。これは微小フィルターの寸法をイメージセンサーの画素ピッチと一致させて作製しておいた上で両者を直接張り合わせてもよいし、イメージセンサー上に直接波長フィルター膜となる周期構造を形成してもよい。また両者を適当なリレー光学系を介して光学的に対応付けてもよい。」
（引１イ）
「【００２６】
　イメージセンサーの画素と対応することになる単位波長フィルター領域２０２の内部では格子のパターンは一様であるが、別の領域内ではまた別のパターンを描画する。すなわち線列や孔列の配置間隔や配置方向を適宜変化させる。次に現像後の基板をドライエッチ加工し、レジスト上の格子パターンを下地の基板に転写する。こうして凹凸付き基板が出来上がる。続いてこの基板上に、ｒｆマグネトロン・スパッタ法によって複数種類の誘電体層２０３を交互に積層する。可視波長向けのフィルター用には、例えば
石英（屈折率約１．４７）
五酸化タンタル（屈折率約２．１）
（引１ウ）
「【実施例１】
【００３５】
（自己クローニング型周期構造）
自己クローニング型フォトニック結晶による複合型分光フィルターの実施例を示す。
図８は複合型分光フィルターの一部を拡大して描いたものであり、３つの微小フィルター領域が並べて配置されている様子を示している。３つの微小フィルターは連続しており、同時に一体的に形成されている。
　以下に形成手順の例を示す。
　石英ガラス基板８０１の上に電子線リソグラフィとドライエッチングによって周期的な溝の列を形成する。本例では、３つの微小波長フィルター領域における溝の間隔ｐ１、ｐ２、ｐ３はそれぞれ２３０ｎｍ、２５２ｎｍ、２７０ｎｍである。
【００３６】
　次に、この溝列付き基板８０１にｒｆバイアススパッタリングで五酸化ニオブ（屈折率２．２８）の層８０２と石英（屈折率１．４７）の層８０３とを交互に２０周期、計４０層積層する。層の厚みはいずれも１２０ｎｍとする。スパッタ成膜の条件、すなわちｒｆ電力、基板に印加するバイアス電圧、成膜中の圧力、酸素ガスの圧力などを適当に調整することであり、図８に示すように定常な三角波状の多層膜が形成される。これらの値の一例は次のとおりである。五酸化ニオブについてはｒｆ電力３８０Ｗ、バイアス電力０Ｗ、ガス圧力２ｍＴｏｒｒ、石英についてはｒｆ電力３８０Ｗ、バイアス電力２０Ｗ、ガス圧力６ｍＴｏｒｒである。
【００３７】
　以上のようにして形成された微小波長フィルターの、ＴＥ波に対する透過スペクトルを図９に示す。ここでいうＴＥ波とは基板面に垂直に入射する光のうち、電界の振動方向が溝に平行である波を指す。いずれの領域も波長の短い波は反射し、波長の長い光を透過させる長波長透過の特性を示すが、その開始波長（カットオフ波長）が異なっている。同じ要領で、溝列の間隔ｐを様々な値に変えた領域を多数並べることで、カットオフ波長が空間的に少しずつシフトした微小フィルターの列を構成することができる。
【００３８】
　隣接するセンサー画素間の受光強度の差を計算すれば、隣接するフィルターのカットオフ波長の間に含まれるスペクトルの積分値が得られる。この差分演算処理を隣接画素間で実行していく手段を設けておくことで、短波長側から長波長側までのスペクトルの形状を詳細に求めることができる。
【００３９】
　上で示した３種類の微小波長フィルター領域の、別の波長帯におけるＴＥ波の透過スペクトルを図１０に示す。この波長域ではいずれも短波長透過型のフィルター特性を示す。このようにフィルターの基本特性は凹凸付き多層膜の各方向の周期と波長の相対的な大小関係で決まるので、面内の凹凸周期を適宜設計することで、ある波長帯に対し様々な透過特性を持ったフィルターを一つの基板面内に多数並列して作製することが可能である。
【００４０】
　ここでは基板に石英ガラスを用いた実施例を示したが、本発明を実施する手段としてはこの材料に限定されるものではない。基板材料は使用する波長域で透明であり、かつスッパッタ成膜に耐える機械的、化学的強度を有しているものであれば他のガラス材料や結晶材料、有機材料でも構わない。また多層膜の構成材料としてここでは五酸化ニオブと石英を取り上げたが、材料もこれらに限定されるものではない。
　可視波長域では他に五酸化タンタルや窒化シリコン、酸化ハフニウム、アルミナなどが使用できる。近赤外から短波長赤外領域では高屈折材料としてシリコンやゲルマニウムなどが使用できる。
【００４１】
　また、各層の膜厚や面内の溝間隔の数値は上述の値に限定されるものではない。測定しようとする波長帯とフィルター特性に応じて、適当な値を設計して用いる。
【００４２】
　また、
本実施例では、最下層から最上層まで同じ厚みで膜を積層する構成を示したが、途中に厚みの異なる層を挿入してファブリ・ペロー干渉計構成とし、帯域通過型のフィルター特性を実現することもできる
　また、面内の周期形状として溝の列を配置する例を示したが、周期形状として孔の列や交差する溝の列を配置してもよい。このような基板上に形成された多層膜においては、屈折率が３方向すなわち基板面内の２方向と積層方向に周期的に変化する、いわゆる３次元フォトニック結晶構造となる。３次元フォトニック結晶構造においても、図９、図１０に類似した各種の透過スペクトルを利用した波長のフィルタリング作用が実現できる。」
（引１エ）
「【実施例２】
【００４３】
　ここでは
複合型光フィルター
　
この構造は石英ガラス基板１１０１の上に五酸化ニオブ層１１０２と石英層１１０３を交互に積層した後に、電子線リソグラフィとドライエッチで穿孔を行って周期的な円孔列１１０４を形成したものである。その配置の格子形状、または配置間隔または円孔の直径あるいはそれらすべてが微小フィルター領域ごとに異なっている。
【００４４】
　円孔の直径が１２５ｎｍ、１６２．５ｎｍ、１７５ｎｍ、１８７．５ｎｍの４種類である場合の微小波長フィルターの透過スペクトルを図１２に示した。カットオフ波長が少しずつ異なる長波長透過型のフィルター特性を示すことがわかる。円孔の配置間隔及び円孔の直径を細かく変化させることで、カットオフ波長をより小さな幅でシフトさせることが可能となる。この構成では屈折率の周期的な変化が図１１のｘ方向とｙ方向で等しいため、透過スペクトルは入射光の偏光面に依存しない。
【００４５】
　なお、この実施例においても膜材料や周期構造の間隔、膜の厚みなどが上記の値に限定されるものではないことは実施例１で説明したとおりである。円孔の代わりに直線的な溝の列を加工する構成でもよく、その場合は溝の深さや橿、配置間隔によって波長特性を調節することになる。このような穿孔型多層膜構造の単体での光学特性は非特許文献３に開示されている。またこの実施例に示した計算例では、カットオフ波長付近で透過率に大きな変動が見られる。これは多層膜の両端面の間で生じる光の多重反射による干渉が原因であり、平坦な多層膜の場合と同様に、空気側界面あるいは基板側界面に適当な無反射終端層を挿入することで低減することが可能である。」
（引１オ）
（２）引用発明
ア　【００４３】の記載及び図１１によれば、「複合型光フィルター」「の構造は石英ガラス基板１１０１の上に五酸化ニオブ層１１０２と石英層１１０３を交互に」複数周期「積層し」て多層膜を形成し「た後に」、前記多層膜に対し「電子線リソグラフィとドライエッチで」前記積層方向に「穿孔を行って周期的な円孔列１１０４を形成したもの」であることが理解できる。
イ　上記アを含め上記（１）の記載事項及び図面を総合すると、引用文献１には、次の発明（以下、「引用発明」という。）が記載されていると認められる。
「透過スペクトルが順次異なる複数の微小フィルターを列状に配置してなる複合型分光フィルターと、個々の前記微小フィルターに光学的に対応した画素を有し、前記微小フィルターを透過した光を受光する光電変換素子と、を有する分光計測装置であって、
　前記複合型光フィルターの構造は、石英ガラス基板１１０１の上に、五酸化ニオブ（屈折率約２．１）層１１０２と石英（屈折率約１．４７）層１１０３を交互に複数周期積層して多層膜を形成した後に、前記多層膜に対し電子線リソグラフィとドライエッチで前記積層方向に穿孔を行って周期的な円孔列１１０４を形成したものであり、その配置の格子形状、または配置間隔または円孔の直径あるいはそれらすべてが微小フィルター領域ごとに異なっており、
　前記微小フィルターは、被計測光の波長の２倍程度の距離以内では屈折率が周期的に変化し、膜構造が単なる平坦な多層膜から、基板面内にも屈折率の変調のあるフォトニック結晶になることで、基板面内での光のブラッグ反射を反映した光の伝搬モードとストップバンドが新たに発生し、この新たに生じたストップバンドを利用することで、光の透過スペクトルを、単なる平坦な誘電体多層膜構造の透過スペクトルから効率的にシフトさせることができ、
　前記複合型分光フィルターは、２種類の誘電体からなる前記多層膜に孔の列を形成することで屈折率の変調を実現してあり、
　前記光電変換素子は、ＣＣＤ、ＣＭＯＳ又は化合物半導体型の１次元もしくは２次元アレイのイメージセンサーであり、
　前記微小フィルター領域と前記画素とは同じ大きさである、
　分光計測装置。」
２　引用文献３の記載
　引用文献３には、以下の事項が記載されている。
（引３ア）
「【００１６】
（第１の実施の形態）
　次に、本発明の第１の実施の形態について図面を参照して説明する。
　説明の都合上、まず、従来の多層膜光学フィルタの基本構造について図１、図２を参照して説明した後、第１の実施の形態の多層膜光学フィルタについて説明する。
　図１に示すように、符号101は上部反射器であり、符号103は下部反射器である。
　光は上方から入射し下方に透過する。
　符号102はスペーサ層である。
　上部反射器101、下部反射器103はそれぞれ4層、計8層からなる多層膜であり、白抜き部分は低屈折率部２、斜線部分は高屈折率部４を示す。
　層数は8層に限らず、6層、10層、12層など、任意の数でも構わない。
　
上部反射器101、下部反射器103のそれぞれに含まれる層２、４の各々の光学膜厚はこの多層膜光学フィルタを透過させようとする入射電磁波波長のλ/4であり、したがって、層２、４の各々の物理的な膜厚は、λ/4ｎ（ただしｎは媒質の屈折率）である
　この多層膜光学フィルタを透過させる光が可視波長(550nm)である場合は、各層２、４の物理的な膜厚は、137.5[nm]/ｎになる。
　つまり、低屈折率の媒質の屈折率をn1, 高屈折率の媒質の屈折率をn2とした場合、それぞれの層２、４の物理的な膜厚は、137.5/n1 [nm], 137.5/n2[nm]になる。
　また、各層２、４の物理的な膜厚をd1, d2とすると、両者には、d1・n1=d2・n2=光学膜厚の関係が成り立つ。
　ここで光学膜厚とは、各層２、４（誘電体層）の膜厚dにその屈折率nを乗じた指数である。
【００１７】
　一例として、低屈折率層１０をSiO2とすると、可視波長域での屈折率は1.45であるので、物理的な膜厚は94.8[nm]程度が好ましい。
　高屈折率層１２を窒化シリコン（Si3N4）とすると、同波長域での屈折率は2.05であるので、物理的な膜厚は67.1[nm]程度が好ましい。
　また、高屈折率層１２を二酸化チタン（TiO2）にした場合は、同波長域での屈折率は2.5であるので、膜厚は55[nm]程度が好ましい。
　これら低屈折率の媒質と高屈折率の媒質との屈折率の比率が大きいほど、多層膜光学フィルタの反射・透過特性や帯域幅が広くなるため、両媒質の屈折率差は大きいほど好ましい。
　
符号102はスペーサ層であり、この層の厚さを調整することで、透過波長を調整することができる。スペーサ層１０２を構成する媒質は低屈折率の媒質と同じ、もしくは高屈折率の媒質と同じ、もしくは両媒質と異なる屈折率を有する第３の媒質でも構わない
（引３イ）
「【００１８】
　図２は、固体撮像素子の1画素の断面模式図である。
　図２（Ａ）は有機色フィルタ202を備えた画素であり、図２（Ｂ）は一般的な多層膜光学フィルタ205を備えた画素である。
　符号201,204はオンチップ凸レンズであり、フォトセンサー203,208に効率よく光を集めるための代表的な集光素子である。
　符号202は有機素材からなるカラーフィルタであり、たとえばＲ，Ｇ，Ｂそれぞれの光を透過し、それ以外の光を吸収するナノサイズの顔料を含んだ層であることが一般的である。
　符号205は多層膜光学フィルタである。
　多層膜光学フィルタ205は斜線で示す高屈折率部分と白ぬきで示す低屈折率部分の周期構造206を１セットとし、それらを積層した構造体である。
　ここで、周期構造206の１周期を構成するそれぞれの光学膜厚は入射電磁波波長λの1/4の膜厚であり、つまり１周期は光学膜厚で半波長に相当する。
　
多層膜光学フィルタ205は、上部反射器と下部反射器とで構成され、両者の間にはスペーサ層207が挿入され、スペーサ層207の厚さを変化させることで、所望の電磁波を透過させ、それ以外の波長を透過させないバンドパスフィルタを実現する
　多層膜光学フィルタ205は透過させたい電磁波帯で透明であれば任意の素材で良く、無機素材で容易に実現可能であるため、紫外線等の外的ストレスに強く化学的に安定した多層膜光学フィルタを実現できる点で優れている。」
（引３ウ）
「【００２２】
　
多層膜の厚さ方向の中間部に、第１誘電体層１２あるいは第２誘電体層１４に置き換えて、誘電体からなるスペーサ層１６が設けられている
　
スペーサ層１６を構成する誘電体は、第１誘電体層１２あるいは第２誘電体層１４と同じ誘電体材料で構成され、あるいは、第１誘電体層１２および第２誘電体層１４の何れのとも異なる屈折率を有する誘電体材料で構成されている
　
多層膜光学フィルタ２０は、スペーサ層１６の光学膜厚を変化させることによって、所望の電磁波を透過させ、それ以外の波長を透過させないバンドパスフィルタとして構成される
　すなわち、スペーサ層１６は、各多層膜が選択的に透過させる光の特定波長で定められる光学膜厚で形成されている。
　第１、第２誘電体層１２、１４が積層される方向において、スペーサ層１６よりも上部に位置する多層膜によって上部反射器が構成され、スペーサ層１６よりも下部に位置する多層膜によって下部反射器が構成されている。
　したがって、上部反射器と下部反射器との間にスペーサ層１６が介設されていることになる。
　なお、
スペーサ層１６は省略することもできる
（引３エ）図１
（引３オ）図２
（引３カ）図３
３　引用文献４の記載
　引用文献４には、以下の事項が記載されている。
（引４ア）
「実施例２
［００２５］
　図９には本発明の第２の実施例を示す。本実施例では
フォトニック結晶の狭帯域波長選択特性を利用するための方法
膜厚方向には、石英基板９０５上に厚さ９５．２ｎｍのＴａ２Ｏ５層９０６と厚さ１３３．３ｎｍのＳｉＯ２層９０７を交互に計２０層積層し、続いてキャビティ層として厚さ１３３．３ｎｍのＴａ２Ｏ５層９０８を積層する。続いて厚さ１３３．３ｎｍのＳｉＯ２と厚さ９５．２ｎｍのＴａ
Ｏ５とを交互に計２０層積層したものである
［００２６］
　領域９０１、９０２、９０３、９０４それぞれにおける光パワーの透過特性のＦＤＴＤ法による数値シミュレーション結果を図１０に示す。それぞれの領域が、フォトニック・バンドギャップ中に、異なる中心波長を持つ狭い線幅の透過ピークを持つことが分かる。ここで
波長７４０ｎｍから８００ｎｍまでの波長成分を持つ計測光が入射すると、領域９０１、９０２、９０３、９０４にはそれぞれ波長７４６ｎｍ、７５１ｎｍ、７５８ｎｍ、７６４ｎｍを中心として幅２５ｎｍ程度の狭い範囲の波長成分のみが透過されることになる
（引４イ）図９
（引４ウ）図１０
第５　対比
　本願発明と引用発明とを対比する。
１　フォトニック結晶は、特定波長領域の光を共振させて外部に取り出すナノ周期構造体であるところ、引用文献１の【００４３】には、微小フィルターが、「五酸化ニオブ層と石英層の厚みをいずれも１００ｎｍ」とするナノオーダーの周期構造物であることが例示されていることを踏まえると、引用発明の「フォトニック結晶」である「微小フィルター」は、本願発明の「ナノアンテナ」に相当する。
２　上記１を踏まえると、引用発明の「透過スペクトルが順次異なる複数の微小フィルター」は、本願発明の「共振波長帯域が互いに異なる複数のナノアンテナ」に相当する。
３　上記２を踏まえると、引用発明の「透過スペクトルが順次異なる複数の微小フィルターを列状に配置してなる複合型の分光フィルター」は、本願発明の「共振波長帯域が互いに異なる複数のナノアンテナを具備するナノアンテナ・アレイ部」に相当する。
４　引用発明の「画素」は、本願発明の「光検出器」に相当する。
５　上記４を踏まえると、引用発明の「個々の前記微小フィルターに光学的に対応した画素」は、「前記微小フィルターを透過した光を受光する」から、本願発明の「前記複数のナノアンテナからの光をそれぞれ検出する複数の光検出器」に相当する。
６　上記５を踏まえると、引用発明の「個々の前記微小フィルターに光学的に対応した画素を有し、前記微小フィルターを透過した光を受光する」、「１次元もしくは２次元アレイのイメージセンサーであ」る「光電変換素子」は、本願発明の「前記複数のナノアンテナからの光をそれぞれ検出する複数の光検出器を具備する光検出器アレイ部」に相当する。
７　引用発明の「石英（屈折率約１．４７）層１１０３」は、本願発明の「第１誘電体層」及び「第３誘電体層」に相当し、引用発明の「五酸化ニオブ（屈折率約２．１）層１１０２」は、本願発明の「第２誘電体層」及び「第４誘電体層」に相当する。
８　上記７を踏まえると、引用発明の「五酸化ニオブ（屈折率約２．１）層１１０２と石英（屈折率約１．４７）層１１０３を交互に複数周期積層して」「形成した」「多層膜」のうち上部の「複数周期」の「多層膜」は、微小フィルター（ナノ周期構造物）の一部であるから、本願発明の「第１誘電体層と、前記第１誘電体層より大きい屈折率を有する第２誘電体層とが第１方向に沿って交互積層された積層構造」「を含む上部ナノ構造層」に相当する。また、引用発明の「五酸化ニオブ（屈折率約２．１）層１１０２と石英（屈折率約１．４７）層１１０３を交互に複数周期積層して」「形成した」「多層膜」のうち下部の「複数周期」の「多層膜」は、微小フィルター（ナノ周期構造物）の一部であるから、「第３誘電体層と、前記第３誘電体層より大きい屈折率を有する第４誘電体層と、が第１方向に沿って交互積層された積層構造」「を含む下部ナノ構造層」に相当する。
９　上記１を踏まえると、引用発明の「円孔」は、微小フィルター（ナノ周期構造物）の一部であるから、本願発明の「ナノホール」に相当する。
１０　上記９を踏まえると、引用発明の「周期的な円孔列１１０４」は、本願発明の「複数のナノホール」に相当する。
１１　上記１０を踏まえると、引用発明の「前記多層膜に対し電子線リソグラフィとドライエッチで前記積層方向に穿孔を行って」「形成した」「周期的な円孔列１１０４」は、本願発明の「前記積層構造を貫通して形成された複数のナノホール」に相当する。
１２　上記８及び１１を踏まえると、
　引用発明の「微小フィルター」は、「石英ガラス基板１１０１の上に、五酸化ニオブ（屈折率約２．１）層１１０２と石英（屈折率約１．４７）層１１０３を交互に複数周期積層して多層膜を形成した後に、前記多層膜に対し電子線リソグラフィとドライエッチで前記積層方向に穿孔を行って周期的な円孔列１１０４を形成したものであ」ることと、
　本願発明の「前記複数のナノアンテナのそれぞれは、
　第１誘電体層と、前記第１誘電体層より大きい屈折率を有する第２誘電体層とが第１方向に沿って交互積層された積層構造と、前記積層構造を貫通して形成された複数のナノホールと、を含む上部ナノ構造層と、
　第３誘電体層と、前記第３誘電体層より大きい屈折率を有する第４誘電体層と、が第１方向に沿って交互積層された積層構造と、前記積層構造を貫通して形成された複数のナノホールと、を含む下部ナノ構造層と、
　前記上部ナノ構造層と下部ナノ構造層との間に配置され、誘電物質からなる中間層と、
を含」むこととは、
　「前記複数のナノアンテナのそれぞれは、
　第１誘電体層と、前記第１誘電体層より大きい屈折率を有する第２誘電体層とが第１方向に沿って交互積層された積層構造と、前記積層構造を貫通して形成された複数のナノホールと、を含む上部ナノ構造層と、
　第３誘電体層と、前記第３誘電体層より大きい屈折率を有する第４誘電体層と、が第１方向に沿って交互積層された積層構造と、前記積層構造を貫通して形成された複数のナノホールと、を含む下部ナノ構造層と、
　を含」む点で共通する。
１３　引用発明の「分光計測装置」は、本願発明の「分光センサ」に相当する。
　したがって、本願発明と引用発明とは、以下の点で一致し、以下の点で相違する。
（一致点）
　「共振波長帯域が互いに異なる複数のナノアンテナを具備するナノアンテナ・アレイ部と、
　前記複数のナノアンテナからの光をそれぞれ検出する複数の光検出器を具備する光検出器アレイ部と、を含み、
　前記複数のナノアンテナのそれぞれは、
　第１誘電体層と、前記第１誘電体層より大きい屈折率を有する第２誘電体層とが第１方向に沿って交互積層された積層構造と、前記積層構造を貫通して形成された複数のナノホールと、を含む上部ナノ構造層と、
　第３誘電体層と、前記第３誘電体層より大きい屈折率を有する第４誘電体層と、が第１方向に沿って交互積層された積層構造と、前記積層構造を貫通して形成された複数のナノホールと、を含む下部ナノ構造層と、
　を含む、分光センサ。」
（相違点）
　本願発明は、「前記上部ナノ構造層と下部ナノ構造層との間に配置され、誘電物質からなる中間層」を含み、「前記中間層は、前記第１誘電体層、前記第２誘電体層、前記第３誘電体層、および前記第４誘電体層の各層と材質が異なるか、または厚さが異なる」のに対し、引用発明は、このような中間層の特定がない点。
第６　判断
　上記相違点について検討する。
　
　引用文献１（上記第４　１（１）を参照。）には、「【００４２】 また、本実施例（当審注：実施例１）では、最下層から最上層まで同じ厚みで膜を積層する構成を示したが、途中に厚みの異なる層を挿入してファブリ・ペロー干渉計構成とし、帯域通過型のフィルター特性を実現することもできる。」と記載され、実施例１の自己クローニング型周期構造の微小フィルターにおいて、低屈折材質層と高屈折材質層とを交互積層した多層膜構造の途中に厚みの異なる層を挿入することで、透過スペクトルの帯域を狭めることが開示されている。そして、周期構造を自己クローニング法により作製した微小フィルター（実施例１）、及び周期構造を自己クローニング法とは異なる手法で作製した微小フィルター（本願発明に対応する実施例２）は、いずれも「基板面内にも屈折率の変調のあるフォトニック結晶になることで、基板面内での光のブラッグ反射を反映した光の伝搬モードとストップバンドが新たに発生し、この新たに生じたストップバンドを利用することで、光の透過スペクトルを、単なる平坦な誘電体多層膜構造の透過スペクトルから効率的にシフトさせることができ」る、いわゆる３次元フォトニック結晶構造であるから、引用発明（実施例２）においても、実施例１同様、微小フィルターそれぞれの透過スペクトルの帯域を狭めるために、低屈折材質層と高屈折材質層とを交互積層した多層膜構造の途中に厚みの異なる層を挿入できることが容易に理解できる。
　また、フォトニック結晶を用いた微小フィルターにおいて、低屈折材質層と高屈折材質層とを交互積層した多層膜構造の途中に、低屈折材質層又は高屈折材質層と異なる誘電物質からなる層、又は異なる厚さの層を挿入することで、透過スペクトルの帯域を狭めることは、引用文献１の上記記載以外にも、引用文献３（上記第４　２を参照。）及び引用文献４（上記第４　３を参照。）に記載されているように周知技術である。
　してみると、引用発明において、上記周知技術を適用し、「五酸化ニオブ（屈折率約２．１）層１１０２と石英（屈折率約１．４７）層１１０３」からなる上部ナノ構造層と下部ナノ構造層との間に、誘電物質からなる中間層を配置し、前記中間層を、「五酸化ニオブ（屈折率約２．１）層１１０２と石英（屈折率約１．４７）層１１０３」の各層と材質が異なる、又は厚さが異なるように構成することで、上記相違点に係る本願発明の構成とすることは、当業者が容易になし得ることである。
　そして、本願発明の奏する作用効果は、引用発明及び上記周知技術から予測される範囲内のものにすぎず、格別顕著なものということはできない。
　したがって、本願発明は、引用発明及び上記周知技術に基づいて当業者が容易に発明をすることができたものである。
第７　請求人の主張
　請求人は、審判請求書において「本発明「分光センサ」に「中間層」は１箇所（１層）しか存在しない、すなわち本願発明の１つの分光センサに複数の中間層は存在しない、と解釈すべき」であり、中間層をこのように解釈すべき本願発明は容易想到でないと主張するが、中間層を１層と解釈する理由はなく、上記周知技術で例示した引用文献１（【００４２】）、引用文献３及び引用文献４における中間層が１層であることは明らかであるから、本願発明の中間層を仮に１層と解釈しても、本願発明は、上記第６で検討したとおり、引用発明及び上記周知技術に基づいて当業者が容易に発明をすることができたものである。
　よって、請求人の上記主張は採用できない。
第８　むすび
　以上のとおり、本願発明は、特許法第２９条第２項の規定により、特許を受けることができないから、他の請求項に係る発明について検討するまでもなく、本願は拒絶すべきものである。
　よって、結論のとおり審決する。